(57)【特許請求の範囲】
【請求項１】
塀（９）の上に、植栽用の鉢（１０）を固定すべく構成した鉢取付金具（１）において、該鉢取付金具（１）は、プレート（２）とネジ棒（３）とフック（４・４）により構成し、該ネジ棒（３）はプレート（２）の中央において、該プレート（２）に対して垂直に立設し、該プレート（２）の周部に２本のフック（４・４）を固設し、該フック（４・４）は、前記プレート（２）の中心に対して左右対称位置に配置し、前記プレート（２）の上下面に対して直角方向に向けて接続し、該フック（４・４）には孔（５）を設け、該孔（５）に固定用のビス（６）を挿入し、該鉢取付金具（１）のプレート（２）の面を、塀（９）の上面に載置し、前記フック（４・４）が塀（９）の両側面に位置するように配設し、鉢取付金具（１）が塀（９）の上部に嵌合するように構成し、該フック（４・４）の孔（５）にビス（６）を打ち込み、鉢取付金具（１）を塀（９）に固定し、前記プレート（２）の上に鉢（１０）を配設し、前記ネジ棒（３）を鉢（１０）の下部に挿入し、該ネジ棒（３）が鉢（１０）の下部に挿入された状態で、該ネジ棒（３）にワッシャープレート（８）を挿嵌し、該ネジ棒（３）にナット（７）を螺装し、前記鉢（１０）の底部を、プレート（２）とワッシャープレート（８）により挟持し、鉢（１０）を鉢取付金具（１）に固定することを特徴とする鉢取付金具。
【発明の詳細な説明】
【０００１】
【発明の属する技術分野】
本発明は、植栽用の鉢を塀、柵、垣根等の囲いの上に固定するための取付金具に関する。
【０００２】
【従来の技術】
塀の上に配設した鉢の落下や盗難を防止するために、塀の上に鉢取付金具を介して、鉢を固設する方法が知られている。例えば、特開平１０−１９２１１７号公報や、特開平１１−１３７３９号公報に示されている。特開平１０−１９２１１７号公報に示される鉢取付金具は鉢の一部をクランプなどにより挟持し、鉢を保持するものである。特開平１１−１３７３９号公報に示されている技術では、塀の上に植木鉢載せ台を施工し、該植木鉢載せ台に鉢を収納するものである。
【０００３】
【発明が解決しようとする課題】
特開平１０−１９２１１７号公報に示される鉢取付金具は鉢の一部にのみ力がかかり、強度の低い鉢や、樹脂製の鉢は保持しにくい。特開平１１−１３７３９号公報に示されている技術では、塀の上に大きな鉢載せ台を施工する必要があり、外観上、美観を損ねる可能性がある。
【０００４】
【課題を解決するための手段】
本発明が解決しようとする課題は以上のごとくであり、次に該課題を解決するための構成を説明する。
塀（９）の上に、植栽用の鉢（１０）を固定すべく構成した鉢取付金具（１）において、該鉢取付金具（１）は、プレート（２）とネジ棒（３）とフック（４・４）により構成し、該ネジ棒（３）はプレート（２）の中央において、該プレート（２）に対して垂直に立設し、該プレート（２）の周部に２本のフック（４・４）を固設し、該フック（４・４）は、前記プレート（２）の中心に対して左右対称位置に配置し、前記プレート（２）の上下面に対して直角方向に向けて接続し、該フック（４・４）には孔（５）を設け、該孔（５）に固定用のビス（６）を挿入し、該鉢取付金具（１）のプレート（２）の面を、塀（９）の上面に載置し、前記フック（４・４）が塀（９）の両側面に位置するように配設し、鉢取付金具（１）が塀（９）の上部に嵌合するように構成し、該フック（４・４）の孔（５）にビス（６）を打ち込み、鉢取付金具（１）を塀（９）に固定し、前記プレート（２）の上に鉢（１０）を配設し、前記ネジ棒（３）を鉢（１０）の下部に挿入し、該ネジ棒（３）が鉢（１０）の下部に挿入された状態で、該ネジ棒（３）にワッシャープレート（８）を挿嵌し、該ネジ棒（３）にナット（７）を螺装し、前記鉢（１０）の底部を、プレート（２）とワッシャープレート（８）により挟持し、鉢（１０）を鉢取付金具（１）に固定するものである。
【０００５】
【発明の実施の形態】
次に本発明の実施の形態を説明する。図１は鉢取付金具の側面図、図２は正面図、図３は同じく平面図、図４は塀に取付けた状態における鉢取付金具の側面断面図、図５は鉢取付金具の使用状態を示す側面図、図６同じく正面図、図７は一枚の板体で成形された鉢取付金具の斜視図、図８はフックとプレートが別体である鉢取付金具の一例を示す斜視図、図９は装飾部材が接続される鉢取付金具の一例を示す斜視図、図１０は同じく他の実施例を示す斜視図、図１１は装飾具の接続された鉢取付金具の使用状態を示す正面図である。
【０００６】
図１ないし図３を用いて鉢取付金具１の構成について説明する。鉢取付金具１は円盤状のプレート２、ネジ棒３、フック４により構成されている。ネジ棒３はプレート２の中央において、該プレート２に対して垂直に立設されている。プレート２の周部には、フック４・４が固設されている。フック４・４は、プレート２の中心に対して、対称位置に配設されており、プレート２の上下面に対して直角下方に向けて接続されている。フック４は、図１に示すごとく、長方形のプレートの一端を巻き上げた形状になっている。フック４に上部には孔５が設けられており、該孔５に固定用のビスを挿入する構成になっている。
【０００７】
鉢取付金具１は、塀、柵、手すりなどの囲いに固設可能である。本実施例においては、特に鉢取付金具１を塀に固設する場合について説明する。鉢取付金具１を塀９上に固定する際には、図４に示すごとく、塀 9の上部に鉢取付金具１を配設する。鉢取付金具１のフック４・４が、塀９の両側面に位置するように配設する。すなわち、鉢取付金具１が塀９の上部に嵌合する構成になっている。そして、フック４の孔５にビス６を挿入し、フック４を介して塀９にビス６を打ち込む。これにより、鉢取付金具１が塀９に固設される。フック４が塀９への取付部を兼ねた構成になっている。次に、プレート２上に鉢１０を配設する。ネジ棒３は、鉢１０の下部に挿入される。該ネジ棒３が鉢１０の下部に挿入された状態で、ネジ棒３にワッシャプレート８を挿嵌し、ナット７を螺装する。これにより、鉢１０の底部がプレート２とワッシャプレート８により挟持され、鉢１０が鉢取付金具１に固定される。
【０００８】
上記のごとく、塀９に取付けられた鉢取付金具１の鉢取付金具のフック４には、図５に示すごとく、プランター２０・２０を掛けることができる。鉢取付金具１を塀９の上部に配設することにより、塀９より内側と外側とにフック４を突出させることができる。フック４は上部において、ビス６により塀９固設されので、フック４を固定する部位と、プランター２０を係止する部位が近くなる。このため、プランター２０を掛けることによる鉢取付金具１の変形を抑制できる。フック４は鉢取付金具の塀への取付部と、植栽用の鉢であるプランター２０の吊下具を兼ねた構成になっている。
【０００９】
鉢取付金具１により、塀９の上に鉢１０を配置し、塀９の住宅側にプランター２０を配設した場合、塀９の美観を向上できる。さらに、鉢取付金具１には塀９の外側面にもプランター２０を配設でき、塀９の外側の景観も向上させることができる。鉢取付金具１の塀９の側面に張り出したフック４により、鉢１が鉢取付金具１により固設されていることが容易に認識でき、不安感を与えることがない。図６に示すごとく、塀９の上および側面に植栽を施すことができ、塀９の外観が向上する。鉢取付金具１は塀９にビス６を打ち込むことにより、簡単に塀９に固設でき、施工に時間がかからない。さらに、１つの鉢取付金具１により塀の上面および両側面に植栽を行えるので、植栽に係る施工費を低減できる。
【００１０】
次に、図７において、鉢取付金具の別の構成について説明する。鉢取付金具２２は、前述のネジ棒３を配設したプレートとプランター２０を係止するためのフックが一体に構成されている。プレート２３は円盤に二つの長方形が、対称に接続した形状に構成されている。該プレート２３の長方形部分がフックとなる。長方形部分を図７の二点鎖線のごとく直角に折り下げたのちに、端部を上方に巻き上げ、フック状に成形することにより、鉢取付金具とすることができる。
【００１１】
さらに、図８に示すごとく、鉢を固定するプレートとフックを別体として構成することもできる。鉢取付金具２７は、ネジ棒３を配設したプレート２５と２つのフック２６により構成される。プレート２５は、円盤状に構成されており、該プレート２５の中心にはネジ棒３が立設されている。プレート２５の周縁部にはビス６を挿入するための孔２５ａ・２５ａがプレート２５の中心に対して対称に設けられている。フック２６は、側面視Ｊ字状部分と該Ｊ字状部分の上部に接続する水平部分とにより構成される。フック２６の水平部分には、ビス６を挿入するための孔２６ａが設けられている。そして、該孔２６ａおよびプレート２５の孔２５ａを介して、ビス６を塀の上面に打ち込むことにより、プレート２５およびフック２６を塀に固設する。この後に、プレート２５上に鉢を配設し、フック２６にプランターを係止する。鉢取付金具２７は、プレート２５とフック２６・２６とより構成されるので、必要に応じて、フック２６の使用の有無を決めることができる。
【００１２】
次に、図９に示すごとく、プレート２５に装飾部材を接続した鉢取付金具２９の実施例について説明する。プレート２５およびフック２６は、上記の図８に示されたものと同様の構成になっている。プレート２５には、装飾部材２８およびフック２６が接続される。装飾部材２８およびフック２６にはビス６を挿入するための孔が設けられている。該孔とプレート２５とを介して、ビス６を塀に打ち込むことにより装飾部材２８、フック２６およびプレート２５が塀に固設される。
【００１３】
本実施例において、装飾部材２８は、長方形のプレートに、直角に曲がったステーが接続された形状に構成されている。該装飾部材２８において、プレート部には、模様もしくは絵が描かれており、鉢取付金具２９の外観を向上させるものである。これにより、プランターを係止しない場合においても、鉢取付金具２７が取付けられた塀の美観を向上できる。さらに、図１０に示すごとく、装飾部材３２、フック３１およびプレート３３を一体とし、鉢取付金具３０を構成することもできる。プレート３３にはフック３１および装飾部材３２が接続されている。フック３１と装飾部材３２はそれぞれプレート３３において対称の位置に接続されている。フック３１を塀の内側に向け、装飾部材３２を塀の外側に向けた場合、図１１に示すごとく、塀の外側からは鉢取付金具３０により鉢１０が塀９上に取り付けられていることが認識でき、「鉢が塀から落ちるのではないか」というような不安感を与えることがない。
【００１４】
【発明の効果】
本発明は以上のように構成したので、次のような効果を奏する。
塀（９）の上に、植栽用の鉢（１０）を固定すべく構成した鉢取付金具（１）において、該鉢取付金具（１）は、プレート（２）とネジ棒（３）とフック（４・４）により構成し、該ネジ棒（３）はプレート（２）の中央において、該プレート（２）に対して垂直に立設し、該プレート（２）の周部に２本のフック（４・４）を固設し、該フック（４・４）は、前記プレート（２）の中心に対して左右対称位置に配置し、前記プレート（２）の上下面に対して直角方向に向けて接続し、該フック（４・４）には孔（５）を設け、該孔（５）に固定用のビス（６）を挿入し、該鉢取付金具（１）のプレート（２）の面を、塀（９）の上面に載置し、前記フック（４・４）が塀（９）の両側面に位置するように配設し、鉢取付金具（１）が塀（９）の上部に嵌合するように構成し、該フック（４・４）の孔（５）にビス（６）を打ち込み、鉢取付金具（１）を塀（９）に固定し、前記プレート（２）の上に鉢（１０）を配設し、前記ネジ棒（３）を鉢（１０）の下部に挿入し、該ネジ棒（３）が鉢（１０）の下部に挿入された状態で、該ネジ棒（３）にワッシャープレート（８）を挿嵌し、該ネジ棒（３）にナット（７）を螺装し、前記鉢（１０）の底部を、プレート（２）とワッシャープレート（８）により挟持し、鉢（１０）を鉢取付金具（１）に固定するので、塀上などに鉢を固設できるので、塀の上部および側面の美観を向上できる。
該鉢取付金具により、塀の上に載置された鉢が取付固定されていることが推測でき、鉢が落下するのではないかという不安感を排除できる。
また、簡単な構成により、植栽用の鉢を係止し保持可能な鉢取付金具を構成できる。鉢取付金具を構成する部材点数を減少できる。そして、鉢取付金具の製造単価を低減でき、施工費を少なくできる。
【００１５】
また、塀囲いの上に植栽用の鉢を固定すべく構成した鉢取付金具の中心に対して対称となるように、植栽用の鉢を吊り下げ可能としたフックを設け、該フックを鉢取付金具の塀囲いへの取付部としたので、簡単かつ容易に鉢取付金具を取り付けることができ、塀などの上面および両側面に植栽容器などを配設することができる。
鉢取付金具を簡単な構成とし部材点数を少なくしたので、該鉢取付金具の製作コストを低減できる。
また、塀などの側面に植栽容器を配設できるので、見栄えがよくなり、外観の向上を図ることができる。
【図面の簡単な説明】
【図１】  鉢取付金具の側面図。
【図２】  同じく正面図。
【図３】  同じく平面図。
【図４】  塀に取付けた状態における鉢取付金具の側面断面図。
【図５】  鉢取付金具の使用状態を示す側面図。
【図６】  同じく正面図。
【図７】  一枚の板体で成形された鉢取付金具の斜視図。
【図８】  フックとプレートが別体である鉢取付金具の一例を示す斜視図。
【図９】  装飾部材が接続される鉢取付金具の一例を示す斜視図。
【図１０】  同じく他の実施例を示す斜視図。
【図１１】  装飾具の接続された鉢取付金具の使用状態を示す正面図である。
【符号の説明】
１  鉢取付金具
２  プレート
３  ネジ棒
４  フック
５  孔
６  ビス
９  塀
１０  鉢
２０  プランター
【図１】
0003923683.tif 000002
【図２】
0003923683.tif 000003
【図３】
0003923683.tif 000004
【図４】
0003923683.tif 000005
【図５】
0003923683.tif 000006
【図６】
0003923683.tif 000007
【図７】
0003923683.tif 000008
【図８】
0003923683.tif 000009
【図９】
0003923683.tif 000010
【図１０】
0003923683.tif 000011
【図１１】
0003923683.tif 000012